(57)【要約】【課題】良好な操作感のスイッチ装置を備えた情報再生装置を提供する。【解決手段】台座部４１０にテープ状スイッチ５００を周方向に設ける。テープ状スイッチ５００に対向する位置にリング状の回転動作部４５０を台座部４１０に接離方向に移動可能で、テープ状スイッチ５００からコイルばね４６０にて離間する状態に支持する。テープ状スイッチ５００のスイッチに対応して第１の緩衝部材を設ける。ジョグテーブル部３１０の円板状のテーブル板３１１に連続して外方に突出するフランジ部３１３を、回転動作部４５０上に載置支持する状態に配設する。ジョグテーブル部３１０を押動操作することにより、スイッチが閉成する。押動操作する位置より外周側で支持して移動を検出するので、確実な検出と良好な操作感を得ることができる。【選択図】　図４
2004087192.tif 000002
【特許請求の範囲】
【請求項１】
台座部と、
押動操作される操作部と、
前記台座部に設けられ、押動操作による操作方向における前記操作部の周縁近傍を、この押動操作により前記操作部の少なくとも周縁近傍の一部が前記台座部に対して接離方向に移動可能で、前記押動操作により移動される少なくとも周縁近傍の一部を前記台座部に対して離間する方向に付勢する状態に前記操作部の周縁近傍を支持する支持手段と、
前記台座部および前記支持手段のうちの少なくともいずれか一方に前記操作部の周縁近傍に対応して設けられ、押動操作による前記操作部の周縁近傍の前記台座部に向けた移動を検出する移動検出手段と、
を具備したことを特徴としたスイッチ装置。
【請求項２】
請求項１に記載のスイッチ装置において、
支持手段は、押動操作による操作方向に沿って弾性変形による復元力を作用させるばね部材を操作部の周縁近傍に対応する位置に複数有し、これらばね部材の復元力により常時前記操作部の少なくとも周縁近傍の一部を前記台座部に対して離間する方向に付勢する
ことを特徴としたスイッチ装置。
【請求項３】
請求項１または２に記載のスイッチ装置において、
支持手段は、操作部の周縁近傍に対応する位置に、押動操作により台座部に向けて前記操作部の少なくとも周縁近傍の一部が移動する際に弾性変形するクッション部材を有した
ことを特徴としたスイッチ装置。
【請求項４】
請求項１に記載のスイッチ装置において、
支持手段は、操作部の押動操作により台座部に対して接離方向に移動可能に前記台座部に設けられ、前記操作部の周縁近傍の形状に対応し前記操作部の周縁近傍を支持する作動部と、この作動部を台座部に対して離間する方向に付勢して前記操作部を台座部に対して離間する方向に付勢する付勢手段と、を備えた
ことを特徴としたスイッチ装置。
【請求項５】
請求項４に記載のスイッチ装置において、
移動検出手段は、作動部に対向して台座部に設けられ、押動操作により前記操作部の周辺近傍が移動することにより閉成するスイッチを有したメンブレンスイッチを備え、
前記作動部は、少なくともスイッチに対向する位置に球面凸状に膨出する膨出部を有した
ことを特徴としたスイッチ装置。
【請求項６】
請求項４または５に記載のスイッチ装置において、
付勢手段は、押動操作による操作方向に沿って弾性変形による復元力を作動部に作用させ、常時作動部を台座部に対して離間する方向に付勢するばね部材を複数有した
ことを特徴としたスイッチ装置。
【請求項７】
請求項４ないし６のいずれかに記載のスイッチ装置において、
付勢手段は、操作部の押動操作により作動部が台座部に向けて移動する際に弾性変形するクッション部材を有した
ことを特徴としたスイッチ装置。
【請求項８】
請求項５ないし７に記載のスイッチ装置において、
支持手段は、少なくともスイッチに対向する作動部の膨出部の頂部に弾性変形可能な弾性部材を有した
ことを特徴としたスイッチ装置。
【請求項９】
請求項５に記載のスイッチ装置において、
付勢手段は、少なくともメンブレンスイッチのスイッチに対応する位置に、操作部の押動操作により作動部が台座部に向けて移動する際に弾性変形するクッション部材を有した
ことを特徴としたスイッチ装置。
【請求項１０】
請求項４ないし９のいずれかに記載のスイッチ装置において、
支持手段は、回転軸が放射状となる状態に複数のローラが作動部に回転自在に設けられ、操作部を押動操作による操作方向に対して交差する面上で回転可能に支持し、
前記操作部の回転を検出する回転検出手段を具備した
ことを特徴としたスイッチ装置。
【請求項１１】
請求項１０に記載のスイッチ装置において、
操作部は、回転方向に凹凸となる第１の歯車を有し、
回転検出手段は、前記第１の歯車に軸方向で摺動可能に係合する第２の歯車と、この第２の歯車の回転を検出する回転検出センサとを備えた
ことを特徴としたスイッチ装置。
【請求項１２】
請求項１ないし１１のいずれかに記載のスイッチ装置において、
操作部は、押動操作される天面部と、この天面部に連続して設けられこの天面部に対して押動操作による操作方向に対して外周方向に突出し支持手段にて支持される突出部とを備えた
ことを特徴としたスイッチ装置。
【請求項１３】
請求項１０または１１に記載のスイッチ装置において、
操作部は、押動操作される略円板状の天面部と、この天面部に連続して設けられこの天面部に対して押動操作による操作方向に対して外周方向に径大に突出し支持手段のローラ上に支持される突出部とを備えた
ことを特徴としたスイッチ装置。
【請求項１４】
請求項１３に記載のスイッチ装置において、
操作部は、突出部を天面部に対して円周状のフランジ状に突出して設けられ、前記突出部のローラにて支持される面に周方向に沿って径方向に曲面凸状に膨出する走行部を有した
ことを特徴としたスイッチ装置。
【請求項１５】
請求項１０、１１、１３および１４のいずれかに記載のスイッチ装置において、
支持手段は、内周側に軸方向に移動可能で周方向に移動不可能に操作部が嵌挿係合され台座部に回転可能に支持される周縁覆い部を備えた
ことを特徴としたスイッチ装置。
【請求項１６】
請求項１５に記載のスイッチ装置において、
操作部は、係止手段を有し、
周縁覆い部は、内周側に前記係止手段を周方向で位置決めし軸方向で係脱可能に係合する係合手段を有した
ことを特徴としたスイッチ装置。
【請求項１７】
請求項１５または１６に記載のスイッチ装置において、
台座部は、周縁覆い部を回転可能に支持する複数のローラを備えた
ことを特徴としたスイッチ装置。
【請求項１８】
請求項１ないし１７に記載のスイッチ装置において、
操作部を台座部に対して離間する方向に付勢する支持手段の付勢力は、レコードプレーヤのターンテーブルを押動操作する際の負荷と略同程度の大きさに設定された
ことを特徴としたスイッチ装置。
【請求項１９】
記録媒体に記録された情報を読み取る情報読取手段と、
前記読み取った情報を処理する情報処理手段と、
請求項１ないし１８のいずれかに記載のスイッチ装置と、
このスイッチ装置の移動検出手段にて操作部の台座部に向けた移動を検出することにより前記情報処理手段による情報の処理状態を可変する制御を処理制御手段と、
を具備したことを特徴とした情報処理装置。
【請求項２０】
記録媒体に記録された情報を読み取る情報読取手段と、
前記読み取った情報を処理する情報処理手段と、
請求項１０、１１および１３ないし１７のいずれかに記載のスイッチ装置と、
このスイッチ装置の回転検出手段にて操作部の回転を検出することにより前記情報処理手段による情報の処理状態を可変する制御をする処理制御手段と、
を具備したことを特徴とした情報処理装置。
【請求項２１】
請求項１９または２０に記載の情報処理装置と、
この情報処理装置にて処理された情報を再生する再生手段と、
を具備したことを特徴とした再生装置。
【発明の詳細な説明】
【０００１】
【発明の属する技術分野】
本発明は、操作される操作部を備えたスイッチ装置、情報処理装置、および再生装置に関する。
【０００２】
【従来技術】
従来、電気的な信号を制御するスイッチ装置として、ボタン式やボリューム式など各種構成が知られている。そして、各種構成のスイッチ装置は、制御する電気的な信号の種別や制御内容、あるいは意匠上の観点などにより、適宜選択されて各種電気機器に利用されている。
【０００３】
一方、音楽を演奏する場合に、再生装置としてのレコードプレーヤを用い、ディスクジョッキ（ＤＪ）と呼ばれる奏者によって、ダンスミュージックなどを演奏するＤＪ奏法が知られている。このＤＪ奏法は、レコード盤に記録された音楽情報をダンスミュージックなどとして効果的に演奏する方法である。具体的には、ディスクジョッキが、レコードプレーヤのレコード盤が載置されたターンテーブルの回転状態を手動により制御し、レコード盤に記録された音楽情報を再生、停止、あるいは音楽情報の同一フレーズの繰り返し再生、および、再生を始めたい位置への頭出し再生などを実施する。
【０００４】
また、近年では、音楽情報がデジタルデータとして記録されたＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）などの記録媒体を用いて、上記のようなダンスミュージックなどを再生する再生装置が知られている。この再生装置は、各種スイッチ装置を用い、アナログのレコードプレーヤの操作感を擬似的に再現してターンテーブルの回転を手動で制御する感覚が得られる構成が採られている。
【０００５】
【発明が解決しようとする課題】
しかしながら、近年のＤＪ奏法の多様化に伴って、従来のレコードプレーヤのターンテーブルの回転を制動、すなわち所望の演奏となるように回転を制御する動作の際の操作感に、より酷似した操作感が得られる再生装置が望まれているという点が一例として挙げられる。
【０００６】
本発明の目的は、このような点に鑑みて、良好な操作感が得られるスイッチ装置、情報処理装置、および、再生装置を提供することにある。
【０００７】
【課題を解決するための手段】
請求項１に記載の発明のスイッチ装置は、台座部と、押動操作される操作部と、前記台座部に設けられ、押動操作による操作方向における前記操作部の周縁近傍を、この押動操作により前記操作部の少なくとも周縁近傍の一部が前記台座部に対して接離方向に移動可能で、前記押動操作により移動される少なくとも周縁近傍の一部を前記台座部に対して離間する方向に付勢する状態に前記操作部の周縁近傍を支持する支持手段と、前記台座部および前記支持手段のうちの少なくともいずれか一方に前記操作部の周縁近傍に対応して設けられ、押動操作による前記操作部の周縁近傍の前記台座部に向けた移動を検出する移動検出手段と、を具備したことを特徴とする。
【０００８】
請求項１９に記載の発明の情報処理装置は、記録媒体に記録された情報を読み取る情報読取手段と、前記読み取った情報を処理する情報処理手段と、請求項１ないし１８のいずれかに記載のスイッチ装置と、このスイッチ装置の移動検出手段にて操作部の台座部に向けた移動を検出することにより前記情報処理手段による情報の処理状態を可変する制御を処理制御手段と、を具備したことを特徴とする。
【０００９】
請求項２０に記載の発明の情報処理装置は、記録媒体に記録された情報を読み取る情報読取手段と、前記読み取った情報を処理する情報処理手段と、請求項１０、１１および１３ないし１７のいずれかに記載のスイッチ装置と、このスイッチ装置の回転検出手段にて操作部の回転を検出することにより前記情報処理手段による情報の処理状態を可変する制御をする処理制御手段と、を具備したことを特徴とする。
【００１０】
請求項２１に記載の発明の再生装置は、請求項１９または２０に記載の情報処理装置と、この情報処理装置にて処理された情報を再生する再生手段と、を具備したことを特徴とする。
【００１１】
【発明の実施の形態】
以下、本発明の一実施の形態を図面に基づいて説明する。
【００１２】
〔情報再生装置の構成〕
まず、本発明の一実施の形態における再生装置としての情報再生装置全体の構成について、図１を参照して説明する。図１は、本発明に係る情報再生装置を示す平面図である。
【００１３】
図１において、１００は再生装置としての情報再生装置で、この情報再生装置１００は、図示しない記録媒体に記録された情報を再生するための処理をする。例えば、ディスクジョッキ（ＤＪ）と呼ばれる奏者が、レコードプレーヤを用いてレコード盤の音楽情報を演奏する場合と同様な処理をする。ここで、記録媒体としては、例えばＣＤ−ＤＡ（Ｃｏｍｐａｃｔ　Ｄｉｓｋ−Ｄｉｇｉｔａｌ　Ａｕｄｉｏ）、ＣＤ−ＲＯＭ（Ｃｏｍｐａｃｔ　Ｄｉｓｋ−Ｒｅａｄ　Ｏｎｌｙ　Ｍｅｍｏｒｙ）、ＤＶＤ−ＲＯＭ（Ｄｉｇｉｔａｌ　Ｖｅｒｓａｔｉｌｅ　Ｄｉｓｃ　−　Ｒｅａｄ　Ｏｎｌｙ　Ｍｅｍｏｒｙ）、ＤＶＤ−Ｒ（Ｄｉｇｉｔａｌ　Ｖｅｒｓａｔｉｌｅ　Ｄｉｓｃ−Ｒｅｃｏｒｄａｂｌｅ）、ＤＶＤ−ＲＷ（Ｄｉｇｉｔａｌ　Ｖｅｒｓａｔｉｌｅ　Ｄｉｓｃ　−　ＲｅＷｒｉｔａｂｌｅ）、などの光ディスク、光磁気（ＭＯ：ｍａｇｎｅｔｏ−ｏｐｔｉｃａｌ）ディスク、ハードディスクなどの磁気ディスク、あるいはメモリカード、ＩＣ（Ｉｎｔｅｇｒａｔｅｄ　Ｃｉｒｃｕｉｔ）カードなどが例示できる。
【００１４】
そして、情報再生装置１００は、例えばＡＢＳ（Ａｃｒｙｌｏｎｉｔｒｉｌｅ−Ｂｕｔａｄｉｅｎｅ−Ｓｔｙｒｅｎｅ）樹脂にて略矩形状に形成された本体ケース１１０を有している。この本体ケース１１０内には、記録媒体に記録された情報を読み取って再生するための処理をする処理制御手段、情報処理手段および情報読取手段を有した図示しない処理装置本体が設けられている。
【００１５】
また、本体ケース１１０の一側面（図１中の下側）には、側方に向けて開口する挿入口１２０が設けられている。この挿入口１２０は、記録媒体が挿通して本体ケース１１０内の処理装置本体に装着可能に設けられている。また、本体ケース１１０の上面（図１で示される面）には、略中央に位置して処理装置本体とにて本発明の情報処理装置を構成する大型のスイッチ装置２００が臨んで配設される略円形のスイッチ窓部１３０が開口形成されている。さらに、本体ケース１１０の上面には、処理装置本体の処理状態を設定入力する各種スイッチ部材１４０が複数設けられているとともに、情報の処理状態などを表示する表示装置１５０が設けられている。
【００１６】
〔スイッチ装置の構成〕
次に、本発明に係わるスイッチ装置２００について図面を参照して説明する。図２は、スイッチ装置を示す平面図である。図３は、スイッチ装置を示す側面断面図である。図４は、スイッチ装置における回転検出手段の位置を切り欠いた側面断面図である。図５は、回転体部を示す一部を切り欠いた分解斜視図である。図６は、ジョグテーブル部を示す平面図である。図７は、回転体部を取り外した状態のスイッチ装置における回転体部と回転検出手段との関係を示す平面図である。図８は、回転体部を取り外した状態のスイッチ装置における回路基板の配置状況を示す平面図である。図９は、回転体部および回転動作部を取り外した状態のスイッチ装置を示す平面図である。図１０は、スイッチ装置における回転体を取り外した状態での回転検出手段近傍の平面断面図である。図１１は、スイッチ装置における回転体を取り外した状態での台座部を切り欠いた回転検出手段近傍の斜視図である。図１２は、スイッチ装置のねじ止めリブ部近傍の側面断面図である。図１３は、スイッチ装置のガイドピン部近傍の側面断面図である。図１４は、スイッチ装置の第１の緩衝部材近傍の側面断面図である。図１５は、スイッチ装置の第２の緩衝部材近傍の側面断面図である。
【００１７】
スイッチ装置２００は、図１ないし図４に示すように、例えばレコード盤を再生するためのレコードプレーヤにおけるターンテーブルを模擬した形状に構成されている。このスイッチ装置２００は、ユーザの入力操作により情報の処理状態を可変設定する。具体的には、情報として音楽データを再生するために処理する場合に、音楽データの再生速度や再生方向、再生の停止や再開などの音楽データの再生状態を可変するなど、情報の処理状態を可変設定する。そして、スイッチ装置２００は、回転体部３００と、軸支台座部４００と、移動検出手段としてのテープ状スイッチ５００と、を備えている。
【００１８】
回転体部３００は、図１ないし図５に示すように、操作部としてのジョグテーブル部３１０と、支持手段を構成する周縁覆い部としてのジョグリング部３５０と、を有している。これらジョグテーブル部３１０およびジョグリング部３５０は、例えば比較的に機械的強度が強く家電機器などに広く利用されているＡＢＳ樹脂にて形成されている。
【００１９】
そして、ジョグテーブル部３１０は、略円板状の天面部としてのテーブル板３１１と、このテーブル板３１１の周縁に上端縁が連続する略円筒状の胴体部３１２と、この胴体部３１２の下端縁に径方向の外方に向けてフランジ状に突出する突出部としてのフランジ部３１３と、を一連に有し、略円盤状に形成されている。テーブル板３１１の略中央には、略円形の表示窓部３１４が開口形成されている。また、テーブル板３１１の表示窓部３１４の開口縁には、同芯上に取付段差部３１５が設けられている。そして、テーブル板３１１には、取付段差部３１５に周縁が係合して透光性を有した図示しない保護板が設けられている。
【００２０】
また、ジョグテーブル部３１０のテーブル板３１１には、取付段差部３１５の周縁およびテーブル板３１１の外周縁に位置して、テーブル板３１１と同芯上に周方向に沿った取付リブ部３１７がそれぞれ設けられている。そして、これら取付リブ部３１７間には、例えばリング状のポリカーボネート板やゴム板などの比較的に摩擦が生じやすい滑り止め部材３１８が設けられている。
【００２１】
さらに、ジョグテーブル部３１０のテーブル板３１１の下面である胴体部３１２が突出する側の面には、表示窓部３１４と略同芯上に一対のガイドリブ部３２１が二重構造で突設されている。これらガイドリブ部３２１間には、ガイド溝部３２２が区画形成される。また、外周側のガイドリブ部３２１の外周面には、第１の歯車３２３が設けられている。
【００２２】
また、ジョグテーブル部３１０の胴体部３１２の外周面には、周方向で略等間隔に複数の係止手段としての、例えば１つの第１の係止リブ部３２５Ａと３つの第２の係止リブ部３２５Ｂが設けられている。第１の係止リブ部３２５Ａは、他と異なる形状、例えば第２係止リブ部３２５Ｂの胴体部３１２の周方向における幅寸法が異なる状態、具体的には幅狭に設けられている。なお、第１の係止リブ部３２５Ａおよび第２の係止リブ部３２５Ｂは、全て同一形状としてもよい。
【００２３】
さらに、ジョグテーブル部３１０のフランジ部３１３には、胴体部３１２が連続する側と反対側の下面に、径方向に曲面凸状である扁平円弧状に周方向に沿って膨出する走行部としての第１の回転走行部３２７が設けられている。
【００２４】
一方、ジョグリング部３５０には、嵌挿筒部３５１と、操作面部３５２と、係合フランジ部３５３と、を有し、略リング状に形成されている。嵌挿筒部３５１は、ジョグテーブル部３１０の胴体部３１２を内周側に嵌挿可能でかつジョグテーブル部３１０のフランジ部３１３を挿通不可能な内径の略円筒状に形成されている。この嵌挿筒部３５１の軸方向の一端である下端縁には、係合手段としての例えば１つの第１の係合切欠部３５３Ａおよび３つの第２の係合切欠部３５３Ｂが、周方向で略等間隔に複数、例えば４つの第１の係止リブ部３２５Ａおよび第２の係止リブ部３２５Ｂに対応して設けられている。これら第１の係合切欠部３５３Ａおよび第２の係合切欠部３５３Ｂは、嵌挿筒部３５１の下端縁に下方に向けて開口する状態に切欠形成され、ジョグテーブル部３１０の第１の係止リブ部３２５Ａおよび第２の係止リブ部３２５Ｂが軸方向における下方にそれぞれ係脱可能に係合する。
【００２５】
操作面部３５２は、嵌挿筒部３５１の軸方向の一端である上端縁から斜め外方でかつ下方に向けて嵌挿筒部３５１を覆う状態に一連に設けられている。この操作面部３５２の外周面には、略等間隔に略球面凹状の操作凹部３５７が設けられている。さらに、操作面部３５２の外周面には、操作凹部３５７の間に位置して、略円柱状の操作膨出部３５８が斜めに複数、例えば３つ略直線状に設けられている。操作面部３５２の下端縁には、嵌挿筒部３５１と略同軸上の略円筒状に形成されている。
【００２６】
係合フランジ部３５３は、操作面部３５２の下端縁から外方に向けて略フランジ状に突出する状態に一連に設けられている。この係合フランジ部３５３の下面には、ジョグテーブル部３１０の第１の回転走行部３２７と同様に、径方向に曲面凸状である扁平円弧状に周方向に沿って膨出する第２の回転走行部３５９が設けられている。
【００２７】
一方、軸支台座部４００は、図２ないし図４および図７ないし図９に示すように、台座部４１０と、支持手段を構成する作動部としての回転動作部４５０と、を有している。台座部４１０は、回転体部３００を回転可能に軸支する。また、回転動作部４５０は、台座部４１０に軸支される回転体部３００の回転を円滑に案内支持する。
【００２８】
台座部４１０は、例えば比較的に機械的強度が強く家電機器などに広く利用されているＡＢＳ樹脂にて形成されている。そして、台座部４１０は、略円板状の天板部４１１と、この天板部４１１の周縁に上端縁が連続する略円筒状の円筒部４１２と、この円筒部４１２の下端縁に径方向の外方に向けて鍔状に突出する鍔部４１３と、を一連に有し、略円盤状に形成されている。
【００２９】
台座部４１０の天板部４１１には、略中央に位置して略四角形の窓部４２１が開口形成されている。また、天板部４１１には、周縁近傍に位置して回転検出窓部４２２が開口形成されている。さらに、天板部４１１には、回転検出窓部４２２の近傍に位置して、下方に向けて突出するばね止め爪部４２３が突設されている。また、天板部４１１には、上面から下面に亘って開口し下面側に略円筒状に突出する固定リブ４２４が一対設けられている。さらに、天板部４１１の上面には、固定リブ４２４の近傍の所定の位置に、上方に略半球状に膨出する固定ピン部４２５が一対設けられている。
【００３０】
そして、天板部４１１には、回転検出手段４７０が回転検出窓部４２２に臨んで配設されている。この回転検出手段４７０は、取付台座板４７１と、第２の歯車４７２と、回転検出板４７３と、回転検出センサ４７４と、を有している。
【００３１】
取付台座板４７１は、長手板状に形成されている。この取付台座板４７１の長手方向の一端部には、この取付台座板４７１の厚さ方向に軸方向を有する略円筒状で、天板部４１１の下面に下方に向けて突出する略円筒状の軸支リブ部４２６Ａを回転可能に嵌挿する取付筒部４７１Ａが突設されている。そして、取付台座部４７１は、軸支リブ部４２６Ａにねじなどの取付部材４７５が取り付けられて、長手方向の他端側が揺動するように回動可能に軸支される。
【００３２】
また、取付台座板４７１には、取付筒部４７１Ａの近傍に位置して取付筒部４７１Ａが突出する方向に突出するばね取付爪部４７１Ｂが突設されている。そして、取付台座板４７１は、取付筒部４７１Ａに嵌挿した取付部材４７５にて他端側が天板部４１１の外周側に揺動可能に天板部４１１の下面に取り付けられている。また、取付筒部４７１Ａには、例えばトーションコイルばね４７６が軸支されている。このトーションコイルばね４７６は、一端側が天板部４１１のばね止め爪部４２３に係止され、他端側が取付台座板４７１のばね取付爪部４７１Ｂに係止されている。そして、取付台座板４７１は、トーションコイルばね４７６により、他端側である先端側が天板部４１１の中心側に常時付勢される状態に配設されている。
【００３３】
また、取付台座板４７１には、長手方向の略中間に位置して軸方向が取付筒部４７１Ａと略平行に取付筒部４７１Ａの突出する側に軸支シャフト４７１Ｃが突設されている。そして、この軸支シャフト４７１Ｃには、第２の歯車４７２が天板部４１１の回転検出窓部４２２から天板部４１１の上面に突出し、ジョグテーブル部３１０の第１の歯車３２３に係合する状態で回転自在に軸支されている。この第２の歯車４７２の軸方向の一端面には、径方向に位置して一対の位置決めピン部４７２Ａが突設されている。そして、この第２の歯車４７２には、回転検出板４７３が一体的に接着剤などにて取り付けられている。
【００３４】
さらに、取付台座板４７１には、取付筒部４７１Ａの近傍に位置して、天板部４１１の下面に突設された回動規制リブ４２６Ｂを挿通する回動規制孔４７１Ｄが設けられている。そして、取付台座板４７１は、通常時はトーションコイルばね４７６の付勢により第２の歯車４７２がジョグテーブル部３１０の第１の歯車３２３に密着する状態で配設されている。また、例えばジョグテーブル部３１０の急激な回転などにて第１の歯車３２３から急激な回転が作用した場合、第２の歯車４７２が逃げるようにトーションコイルばね４７６の付勢に抗して取付台座板４７１が回動することを、回動規制孔４７１Ｄに嵌挿する回動規制リブ４２６Ｂにて規制し、確実に第１の歯車３２３の回転を第２の歯車４７２に伝達できるように取付台座板４７１が配設されている。
【００３５】
回転検出板４７３は、透光性の合成樹脂にて歯車の径寸法より径大の円板状に形成されている。この回転検出板４７３の外周部分には、図１０および図１１に示すように、放射状に複数の帯状目盛り４７３Ａが印刷形成されている。そして、回転検出板４７３は、第２の歯車４７２の位置決めピン部４７２Ａにそれぞれ係合する図示しない位置決め孔が設けられ、帯状目盛り４７３Ａの部分が第２の歯車４７２の外周から外側に位置する状態で第２の歯車４７２に一体的に取り付けられている。
【００３６】
また、取付台座板４７１の先端部には、回転検出センサ４７４が配設されている。この回転検出センサ４７４は、例えば光センサ４７４Ａと、この光センサ４７４Ａからの信号を取得して所定の信号を出する回路が搭載された回路基板４７４Ｂとを有している。光センサ４７４Ａは、回転検出板４７３の帯状目盛り４７３Ａが印刷形成された外周部分に位置して、回転検出板４７３の厚さ方向に沿った光軸を有する状態で回路基板４７４Ｂに一対設けられている。回路基板４７４Ｂには、電線が接続されるコネクタ４７４Ｃが設けられている。
【００３７】
なお、回転検出センサ４７４は、例えば帯状目盛り４７３Ａを磁気インキにて印刷形成して磁力を検出する磁気センサなど、いずれの構成でもできる。
【００３８】
さらに、台座部４１０の天板部４１１には、図３、図４および図７ないし図９に示すように、回転体部３００のジョグテーブル部３１０の回転を案内する回転案内手段４８０が窓部４２１の一角に位置して設けられている。この回転案内手段４８０は、例えば耐蝕性に優れたステンレス鋼板などの金属板にて略直角方向に長手方向を有する一連の腕部４８１Ａを有し略Ｌ字状に形成された取付板部４８１を有している。そして、取付板部４８１の各腕部４８１Ａにはそれぞれ図示しない固定孔が設けられている。取付板部４８１は、固定孔に例えばリベットやねじなどの取付部材４８１Ｃが挿通されて天板部４１１の固定リブ４２４にリベット止めやねじ止めなどにて一体的に取り付けられる。また、取付板部４８１の各腕部４８１Ａには、天板部４１１の固定ピン部４２５がそれぞれ係合する係合凹部４８１Ｂがそれぞれ設けられている。これら固定ピン部４２５および係合凹部４８１Ｂの係合により、回転案内手段４８０は、天板部４１１の所定の位置に位置決めされる。
【００３９】
なお、取付板部４８１は、ステンレス鋼板に限らず、いずれの金属板でもできる。特に、耐蝕性を有するものや耐蝕性の処理が施されたものが好ましい。さらには、金属に限らず、例えば機械的強度が強いエンジニアリングプラスチックなどの合成樹脂などを用いることもできる。
【００４０】
さらに、取付板部４８１の腕部４８１Ａの先端部には、ガイドピン４８２がそれぞれ設けられている。これらガイドピン４８２は、取付板部４８１に厚さ方向に中心軸を有して一体的に立設されたシャフト４８２Ａと、このシャフト４８２Ａに回転自在に軸支された例えば真鍮製の略球状のローラ部４８２Ｂとを有している。これらガイドピン４８２は、これらガイドピン４８２からの距離が等距離となる位置がジョグテーブル部３１０のテーブル板３１１の中心の位置と同一、例えばシャフト４８２Ａの中心軸を結ぶ線分を斜辺とした直角二等辺三角形の頂点が天板部４１１の中心に位置する状態で天板部４１１に取付固定されている。そして、回転案内手段４８０は、ガイドピン４８２がジョグテーブル部３１０のガイド溝部３２２に係合し、台座部４１０の中心に回転軸が位置する状態にジョグテーブル部３１０を回転可能に支持する。
【００４１】
なお、回転案内手段４８０は、取付板部４８１を用いず直接ガイドピン４８２を天板部４１１に設けた構成としてもよく、ガイドピン４８２を一対設けた構成に限らず、複数設けた構成、あるいは、円周状に突出するリブ状部材にローラなどを設ける構成など、回転体部３００を回転可能に支持可能ないずれの構成でもできる。
【００４２】
さらに、台座部４１０の天板部４１１の下面には、下方に向けて突出する基板取付リブ４２７が複数設けられている。そして、これら基板取付リブ４２７にねじ４２７Ａによるねじ止めなどにて回路基板４２８が取り付けられる。この回路基板４２８には、窓部４２１に臨んで表示面が位置する状態に処理状態表示装置４２９が搭載されている。さらに、回路基板４２８には、後述するテープ状スイッチ４３０の端子片４３２や回転検出手段４７０に接続された図示しない電線の端部、本体ケース１１０内に配設された図示しない各種回路基板に接続される電線の端部が着脱可能に接続される図示しないコネクタが設けられている。
【００４３】
台座部４１０の円筒部４１２には、図４および図７ないし図９に示すように、天板部４１１に亘って円筒部４１２の母線方向に沿った凹溝状の第１の逃げ凹部４１２Ａと、複数、例えば３つの第２の逃げ凹部４１２Ｂとがそれぞれ設けられている。第１の逃げ凹部４１２Ａは、円筒部４１２の周方向における寸法が第２の逃げ凹部４１２Ｂより広い寸法に形成されている。また、円筒部４１２には、配線窓部４１２Ｃが開口形成されている。
【００４４】
台座部４１０の鍔部４１３には、第１の逃げ凹部４１２Ａ内に位置して、上方に向けてねじ止めリブ部４１３Ａと、ガイドピン部４１３Ｂとが一対設けられている。また、鍔部４１３には、第１の逃げ凹部４１２Ａに略直径方向で位置する第２の逃げ凹部４１２Ｂ内に位置して、ガイドピン部４１３Ｂが設けられている。これらガイドピン部４１３Ｂは、円筒部４１２の略直径方向に位置する状態に設けられている。
【００４５】
また、鍔部４１３には、他の第２の逃げ凹部４１２Ｂ内に位置して、ねじ止めリブ部４１３Ａが設けられている。ねじ止めリブ部４１３Ａは、台座部４１０の円筒部４１２の周方向において略３等分間隔となる状態、すなわち円筒部４１２の中心軸における中心角が約１２０°となるように周方向に略等間隔で設けられている。なお、ねじ止めリブ部４１３Ａの高さ寸法は、ガイドピン部４１３Ｂの高さ寸法より低く設定されている。
【００４６】
さらに、鍔部４１３には、円筒部４１２の周面に沿って円周上に配線リブ４１３Ｃが突設されている。この配線リブ４１３Ｃと円筒部４１２の外周面との間には、凹溝状に配線溝部４１３Ｄが区画形成される。また、配線リブ４１３Ｃには、円筒部４１２の配線窓部４１２Ｃの近傍に位置して円筒部４１２の外周面に連続して配線溝部４１３Ｄを横切る状態に配線位置決めリブ４１３Ｅが設けられている。
【００４７】
そして、配線溝部４１３Ｄ内には、図３、図４および図９に示すように、例えばメンブレンスイッチなどのスイッチ５０１が略等間隔で複数、例えば６個設けられた移動検出手段としてのテープ状スイッチ５００が配設されている。このテープ状スイッチ５００は、平面視で配線溝部４１３Ｄと略同形状の円弧状で一端に各スイッチ５０１に接続する端子片５０２が設けられている。そして、このテープ状スイッチ５００は、一端が配線窓部４１２Ｃを挿通して円筒部４１２の内周側に引き出され、他端縁が配線位置決めリブ４１３Ｅに位置決めされて配設されている。なお、テープ状スイッチ５００は、スイッチ５０１として接点式のものの他、感圧センサなどを有した構成などでもでき、またテープ状に限らず、ジョグテーブル部３１０の押動操作を検出可能ないずれの構造でもできる。
【００４８】
さらに、テープ状スイッチ５００には、例えばスポンジや高密度マイクロセルウレタンフォームなどにて略円柱状に形成された支持手段の付勢手段を構成するクッション部材としての第１の緩衝部材４３３がスイッチ５０１を覆う状態に取り付けられている。なお、第１の緩衝部材４３３は、スイッチ５０１の位置のみに限らず複数設けたり、テープ状スイッチ５００の上面全域に設けるなどしてもよい。また、スポンジなどの発泡樹脂の他、ゴムなどの弾性部材、コイルばねなどの弾性部材を用いることもできる。
【００４９】
また、鍔部４１３には、図４、図７ないし図１０、図１２および図１３に示すように、この鍔部４１３に対して円筒部４１２が突出する側である上方に向けて開口する凹状のローラハウス４１３Ｆが円筒部４１２の周面に沿った周方向で略等間隔に複数、例えば８つ設けられている。このローラハウス４１３Ｆの略中央には、ローラ逃げ部４１３Ｇが開口形成されている。また、ローラハウス４１３Ｆの底面には、一対の第１の軸受部４１３Ｈが対向してそれぞれ突設されている。これら一対の第１の軸受部４１３Ｈは、円筒部４１２の中心軸に略直行する方向に沿って対向する状態に設けられている。これら第１の軸受部４１３Ｈの先端部には、軸受凹部４１３Ｈ１が切り込み形成されている。そして、これら一対の第１の軸受部４１３Ｈには、第１のローラ４４０がそれぞれ回転自在に軸支されている。
【００５０】
第１のローラ４４０は、第１の軸受部４１３Ｈ間の長さ寸法と略同寸法の回転軸４４１を有している。この回転軸４４１は、例えばポリオキシエチレン（ＰｏｌｙＯｘｙＭｅｔｈｙｌｅｎｅ：ＰＯＭ）にて形成されている。この回転軸４４１の軸方向の両端部には、軸受凹部４１３Ｈ１に回転自在に係合する回転軸ピン４４２が同軸上に一体に突設されている。また、回転軸４４１の中央には、径大にホイール部４４３が一体に設けられている。このホイール部４４３の外周面には、例えばゴム製のローラ部４４４が設けられている。そして、第１のローラ４４０は、ローラ部４４４の外周面が、ローラ逃げ部４１３Ｇに位置してローラハウス４１３Ｆの底面に干渉せず、かつ鍔部４１３の上面から若干上方に突出する状態で、軸方向が円筒部４１２の中心軸から放射状にそれぞれ回転自在に軸支されている。
【００５１】
さらに、鍔部４１３の上面には、図３、図７ないし図１０および図１４に示すように、円筒部４１２の周面に沿った周方向におけるローラハウス４１３Ｆ間の略中央に位置して、当接リブ４１３Ｉが上方に向けて複数突設されている。これら当接リブ４１３Ｉは、円筒部４１２の中心軸に対して略直行する方向に沿ってそれぞれ長手方向を有し、円筒部４１２の中心軸から放射状に設けられている。そして、当接リブ４１３Ｉは、鍔部４１３の上面から第１の軸受部４１３Ｈに回転自在に軸支される複数の第１のローラ４４０の外周面にて構成される平面の位置より低い高さ寸法で突設されている。
【００５２】
そして、第１のローラ４４０のローラ部４４４の外周面にジョグリング部３５０の第２の回転走行部３５９が当接し、ジョグリング部３５０は、複数の第１のローラ４４０上でジョグテーブル部３１０とともに台座部４１０の中心に回転軸が位置する状態で回転可能に載置支持される。なお、ジョグリング部３５０の第２の回転走行部３５９は、通常時は当接リブ４１３Ｉに当接せず、例えば上方から強い力が作用した場合に各部位が変形するなどして当接し、大きな外力により各部位が損傷することを防止する。
【００５３】
また、鍔部４１３には、図７ないし図１０および図１５に示すように、複数、例えば３つの支持手段を構成するガイド爪部４１３Ｊが上方に向けて突設されている。これらガイド爪部４１３Ｊは、円筒部４１２の周面に沿った周方向で略等間隔に設けられている。そして、ガイド爪部４１３Ｊの先端部には、円筒部４１２の外周面に向けて突出する係止爪部４１３Ｊ１が設けられている。これらガイド爪部４１３Ｊは、ジョグリング部３５０の係合フランジ部３５３が係合し、台座部４１０から脱落することを防止している。なお、これらガイド爪部４１３Ｊは、円筒部４１２の径方向に弾性変形可能に形成されている。すなわち、ジョグリング部３５０の取付や取り外しの際に、ガイド爪部４１３Ｊをそれぞれ外方に弾性変形して、ジョグリング部３５０の係合フランジ部３５３が係止爪部４１３Ｊ１を乗り越えた時点で弾性変形を解除して係止させることにより組み付けられる。
【００５４】
そして、鍔部４１３には、図７ないし図１０に示すように、台座部４１０を本体ケース１１０に取り付けるためのねじ止め孔４１３Ｋが複数設けられている。
【００５５】
一方、回転動作部４５０は、図３、図４、図７、図８、図１０および図１２ないし図１５に示すように、回転体部３００のジョグテーブル部３１０を回転可能に載置支持し、ジョグテーブル部３１０の下方への押圧に伴って移動してテープ状スイッチ５００のスイッチ５０１をオンさせる。この回転動作部４５０は、例えばＰＯＭにて略リング状に形成されている。そして、この回転動作部４５０は、台座部４１０の円筒部４１２を嵌挿可能で台座部４１０の配線溝部４１３Ｄに対応した径寸法の平板略リング状の作動板部４５１を有している。この作動板部４５１には、台座部４１０の配線溝部４１３Ｄに対向する下面に、下方に向けて略球面状に膨出する膨出部としての押圧膨出部４５２が、少なくともテープ状スイッチ５００のスイッチ５０１に対向する位置に複数設けられている。なお、この押圧膨出部４５２は、スイッチ５０１の数に対応して設けたり、スイッチ５０１に対向する位置以外にも設けてもよい。
【００５６】
さらに、作動板部４５１の下面には、例えばゴムや高密度マイクロセルウレタンフォームなどにて略円柱状に形成された支持手段の付勢手段を構成する弾性部材としての第２の緩衝部材４５３が複数、例えば３つ接着剤などの接着部材４５３Ａなどにて設けられている。これら第２の緩衝部材４５３は、テープ状スイッチ５００のスイッチ５０１のうちの中心角が略１２０°に位置する３つのスイッチ５０１にそれぞれ対応する押圧膨出部４５２の頂部にそれぞれ設けられている。なお、全ての押圧膨出部４５２の頂部、あるいは、スイッチ５０１に対応する全ての押圧膨出部４５２の頂部に設けるなどしてもよい。なお、第２の緩衝部材４３３は、例えば作動板部４５１の下面全域に設けるなどしてもよい。また、材質としては、スポンジや高密度マイクロセルウレタンフォームなどの発泡樹脂の他、ゴムなどの弾性部材、コイルばねなどの弾性部材を用いることもできる。
【００５７】
また、作動板部４５１の内周縁および外周縁には、それぞれ同方向である上方に壁状に突出する略円筒状の内周フランジ部４５４および外周フランジ部４５５が一連に設けられている。さらに、作動板部４５１の上面には、内周フランジ部４５４および外周フランジ部４５５間に作動板部４５１の中心を通る径方向に沿った壁状に架橋する状態で連続する補強リブ部４５６が、作動板部４５１に対して放射状に複数設けられている。
【００５８】
さらに、回転動作部４５０には、内周フランジ部４５４の上端縁から内周側に舌片状に突出する支持片部４５７が一連に複数設けられている。これら支持片部４５７は、台座部４１０のねじ止めリブ部４１３Ａおよびガイドピン部４１３Ｂに対応して設けられ、対応するねじ止めリブ部４１３Ａまたはガイドピン部４１３Ｂを貫通するリブ貫通孔４５７Ａまたはガイド貫通孔４５７Ｂが設けられている。これらリブ貫通孔４５７Ａまたはガイド貫通孔４５７Ｂは、ねじ止めリブ部４１３Ａおよびガイドピン部４１３Ｂの外径より径大に形成されている。
【００５９】
そして、回転動作部４５０は、支持片部４５７の各リブ貫通孔４５７Ａまたはガイド貫通孔４５７Ｂにそれぞれねじ止めリブ部４１３Ａおよびガイドピン部４１３Ｂが貫通され、ねじ止めリブ部４１３Ａおよびガイドピン部４１３Ｂに案内されつつ上下方向に移動可能で、かつ周方向で移動不可能に位置決めされる。なお、リブ貫通孔４５７Ａはねじ止めリブ部４１３Ａに螺着されるねじ４５８を挿通不可能に形成され、回転動作部４５０は、ねじ止めによりねじ止めリブ部４１３Ａおよびガイドピン部４１３Ｂから脱落することなく位置決めされる。
【００６０】
また、鍔部４１３と支持片部４５７との間には、図３および図１２に示すように、付勢手段としての例えばコイルばね４６０などのばね部材がねじ止めリブ部４１３Ａに軸支される状態で配設されている。そして、回転動作部４５０は、コイルばね４６０の付勢により支持片部４５７がねじ止めリブ部４１３Ａに螺着されたねじ４５８に常時当接する状態、すなわちコイルばね４６０により常時上方に持ち上げられた状態に支持され、コイルばね４６０の付勢に抗して下方に移動される状態に台座部４１０に配設されている。この回転動作部４５０の下方への移動は、コイルばね４６０の付勢により回転動作部４５０の一部のみに下方への力が作用した場合、この部分が下方に移動して回転動作部４５０が傾斜した状態に移動可能となっている。
【００６１】
なお、回転動作部４５０がコイルばね４６０にて上方に持ち上げられた状態から、回転動作部４５０の下端がテープ状スイッチ５００に当接した最下端位置まで移動した状態では、ジョグテーブル部３１０とジョグリング部３５０との係合は解除されないように構成されている。すなわち、ジョグテーブル部３１０の第１の係止リブ部３２５Ａおよび第２の係止リブ部３２５Ｂと、ジョグリング部３５０の第１の係合切欠部３５３Ａおよび第２の係合切欠部３５３Ｂとが外れることなく係合状態は維持される。
【００６２】
さらに、回転動作部４５０には、図７、図８および図１０に示すように、内周フランジ部４５４および外周フランジ部４５５の上縁に位置して、作動板部４５１の中心を通る径方向で対向する位置に対をなす第２の軸受部４６１が、回転動作部４５０の周方向で略等間隔に複数、例えば９つ切り込み形成されている。これら第２の軸受部４６１は、対向する間隙寸法が第１の軸受部４１３Ｈの対向する間隙寸法と略同寸法に形成されている。
【００６３】
これら第２の軸受部４６１には、第１のローラ４４０と同形状の第２のローラ４４０が回転自在に軸支されている。なお、これら第２の軸受部４６１は、補強リブ部４５６間に位置、すなわち軸支する第２のローラ４４０に補強リブ部４５６が干渉しないように回転作動部４５０が形成されている。そして、９つの第２のローラ４４０のうちの中心角が略１２０°に位置する３つの第２のローラ４４０は、テープ状スイッチ４３０のセンサ４３１の位置に対応し、かつ第２の緩衝部材４５３が設けられていない押圧膨出部４５２に対応する位置で、ねじ止めリブ部４１３Ａの近傍に配設されている。
【００６４】
そして、台座部４１０に組み付けられた回転動作部４５０の第２のローラ４４０のローラ部４４４の外周面に回転体部３００のジョグテーブル部３１０の第１の回転走行部３２７が当接し、ジョグテーブル部３１０は、回転動作部４５０に設けられた複数の第２のローラ４４０上でジョグリング部３５０とともに台座部４１０の中心に回転軸が位置する状態で回転可能に載置支持される。
【００６５】
この回転動作部４５０が組み付けられて軸支台座部４００を構成する台座部４１０に、ジョグテーブル部３１０およびジョグリング部３５０が第１の係止リブ部３２５Ａおよび第２の係止リブ部３２５Ｂと第１の係合切欠部３５３Ａおよび第２の係合切欠部３５３Ｂの係合にて組み付けられた回転体部３００が、回転可能に組み付けられてスイッチ装置２００が構成されている。そして、このスイッチ装置２００は、適宜電線が本体ケース１１０にあらかじめ配設された各種回路基板に接続され、ねじ止め孔４１３Ｋで本体ケース１１０にねじ止めされ、ジョグリング部３５０の操作面部３５２の略円筒状の下端縁部分および係合フランジ部３５３から下方が本体ケース１１０内に覆われて回転体部３００がスイッチ窓部１３０から露出する状態に本体ケース１１０に組み付けられている。
【００６６】
〔スイッチ装置の動作〕
次に、上記実施の形態のスイッチ装置における動作を説明する。なお、情報再生装置１００としては、光ディスクに記録された情報を適宜読み取って適宜処理し再生させる構成を例示して説明する。ここでは、記録媒体に情報として音楽データが記録された記録媒体を再生処理する動作を例示して説明する。
【００６７】
まず、あらかじめ情報再生装置１００に電力を供給し、挿入口１２０に光ディスクなどの記録媒体を挿入する。この記録媒体の挿入により、処理装置本体が例えばオートローディング機構により、本体ケース１１０内の所定の位置に記録媒体を装着し、記録媒体に記録された音楽データを読み取る。そして、処理装置本体は、情報再生装置１００にあらかじめ接続された図示しないスピーカなどの再生手段にて音声として出力可能に音楽データを処理し、再生手段に適宜出力して再生させる。この音楽データの再生の際に、表示装置１５０や処理状態表示装置４２９にて音楽データの再生状況が表示される。
【００６８】
ここで、例えばユーザがスイッチ装置２００の回転体部３００のジョグテーブル部３１０を押圧することにより、押動操作の操作方向である下方に向けて押圧による押圧力が作用する。このことにより、ジョグテーブル部３１０の第１の係止リブ部３２５Ａや第２の係止リブ部３２５Ｂが、台座部４１０に載置支持されたジョグリング部３５０の下方に向けて開口する第１の係合切欠部３５３Ａおよび第２の係合切欠部３５３Ｂを下方に向けて移動する状態となる。
【００６９】
このジョグテーブル部３１０の下方への移動に伴って、ジョグテーブル部３１０のフランジ部３１３が走行可能に載置する第２のローラ４４０を下方に向けて押動する押圧力が作用する。このことにより、第２のローラ４４０を軸支する回転動作部４５０は、第２のローラ４４０に作用する押圧力により、コイルばね４６０の付勢に抗して下方に押動移動される。この回転動作部４５０の下方への移動により、回転動作部４５０の作動板部４５１の下面が対向するテープ状スイッチ５００に向けて近接する方向に移動する。
【００７０】
そして、作動板部４５１の下面に設けられた押圧膨出部４５２が、テープ状スイッチ５００に設けられた第１の緩衝部材４３３に当接し、この第１の緩衝部材４３３を弾性変形させて押し潰す。また、作動板部４５１の下面に設けられた第２の緩衝部材４５３がテープ状スイッチ５００に当接し、第２の緩衝部材４５３が弾性変形して押し潰される。この第１の緩衝部材４３３の弾性変形による復元力により、第１の緩衝部材４３３に対応する位置のテープ状スイッチ５００のスイッチ５０１が閉成する。
【００７１】
このテープ状スイッチ５００のスイッチ５０１の閉成により、処理装置本体がスイッチ５０１の閉成を認識し、処理装置本体に構成された処理制御手段が、記録媒体から読み取った音楽データの情報処理手段による再生のための処理を可変させる制御をする。具体的には、再生されていた音楽データの再生状態を例えば停止させる制御をする。このユーザによるジョグテーブル部３１０の押圧状態では、コイルばね４６０の付勢に抗した弾性変形と、第１の緩衝部材４３３および第２の緩衝部材４５３の弾性変形との復元力が押圧による反力として押圧するユーザに作用し、ユーザに所定の操作感を与える。この反力は、レコードプレーヤのターンテーブルを押動操作する際の反力による操作感と略同程度の反力が得られるように設定される。
【００７２】
なお、このジョグテーブル部３１０の押圧により音楽データを停止させて説明したが、例えばあらかじめ設定しておいた再生位置に飛んでその再生位置から再生させるように制御するなどしてもよい。
【００７３】
また、ユーザがジョグテーブル部３１０を押圧した状態で、ジョグテーブル部３１０を所定の中心角で周方向に往復移動させると、ジョグテーブル部３１０はジョグリング部とともに周方向に往復移動される。すなわち、ジョグテーブル部３１０は、ガイド溝部３２２に台座部４１０の回転案内手段４８０のガイドピン４８２が係合されて回転可能に支持されている。また、ジョグリング部３５０は、台座部４１０に軸支された第１のローラ４４０上を走行可能に載置支持され、ジョグテーブル部３１０を嵌挿してジョグテーブル部３１０の中心軸と同軸上の中心軸で回転可能に配設されている。そして、ジョグテーブル部３１０が押動により下方へ移動している状態でも、ジョグリング部３５０の第１の係合切欠部３５３Ａおよび第２の係合切欠部３５３Ｂにジョグテーブル部３１０の第１の係止リブ部３２５Ａや第２の係止リブ部３２５Ｂが係合している。このことにより、ジョグテーブル部３１０の回転に伴ってジョグリング部３５０も一体的に回転することとなる。
【００７４】
そして、このジョグテーブル部３１０の回転により、ジョグテーブル部３１０の第１の歯車３２３に係合する回転検出手段４７０の第２の歯車４７２が回転する。この第２の歯車４７２の回転により、一体的に設けられた回転検出板４７３も回転し、回転検出板４７３の帯状目盛り４７３Ａが回転検出センサ４７４の光センサ４７４Ａの光軸上を通過する。
【００７５】
そして、回転検出センサ４７４の回路基板４７４Ｂが帯状目盛り４７３Ａの光軸上の通過による光の遮断状況に対応して、所定の信号を処理装置本体に出力する。処理装置本体は、回転検出センサ４７４から取得した信号に基づいて、ジョグテーブル部３１０の回転方向と回転速度とを判断する。そして、処理装置本体の処理制御手段が、ジョグテーブル部３１０の回転方向および回転速度に対応して、音楽データを所定の再生速度で正転再生あるいは逆転再生させるように情報処理手段による音楽データの処理を制御する。このことにより、再生される音楽データは、ジョグテーブル部３１０の周方向への往復移動に対応して、繰り返し再生される。
【００７６】
また、ユーザがジョグテーブル部３１０の押圧を解除すると、弾性変形されていたコイルばね４６０、第１の緩衝部材４３３および第２の緩衝部材４５３が復元し、回転動作部４５０が上方に押し上げられ、テープ状スイッチ５００から再び離間する。このテープ状スイッチ５００から回転動作部４５０が離間することにより、再びテープ状スイッチ５００のスイッチ５０１が開成する。そして、処理装置本体がスイッチ５０１の開成を認識し、処理装置本体に構成された処理制御手段による情報処理手段にて音楽データの再生のための処理を停止させる制御を解除し、再び情報処理手段による音楽データの再生のための処理を継続させる。
【００７７】
一方、ユーザがジョグリング部３５０を周方向に移動させると、上述したように、ジョグテーブル部３１０およびジョグリング部３５０は、周方向で一体的に係合した状態となっていることから、ジョグテーブル部３１０も一体的に回転する。このジョグリング部３５０およびジョグテーブル部３１０の回転により、回転検出手段４７０の回転検出センサ４７４から所定の信号が処理装置本体に出力される。
【００７８】
そして、処理装置本体は、テープ状スイッチ５００からのスイッチ５０１が開成状態で、かつ、回転検出センサ４７４から取得した信号に基づいてジョグテーブル部３１０の回転方向と回転速度とを判断する。このことにより、処理装置本体の処理制御手段が、ジョグテーブル部３１０の回転方向に対応して情報処理手段で処理している音楽データの再生状態を、例えばさらに早送り状態あるいは遅く再生する状態に制御をする。
【００７９】
〔実施の形態の効果〕
上記実施の形態では、台座部４１０と、押動操作されるジョグテーブル部３１０と、台座部４１０に設けられ、押動操作による操作方向におけるジョグテーブル部３１０の周縁近傍に位置するフランジ部３１３を、この押動操作によりジョグテーブル部３１０の少なくともフランジ部３１３の一部が台座部４１０に対して接離方向に移動可能で、押動操作により移動される少なくともフランジ部３１３の一部を台座部４１０に対して離間する方向に付勢する状態にジョグテーブル部３１０のフランジ部３１３を支持する支持手段と、台座部４１０および支持手段のうちの少なくともいずれか一方にジョグテーブル部３１０のフランジ部３１３に対応して設けられ、押動操作によるジョグテーブル部３１０のフランジ部３１３の台座部４１０に向けた移動を検出するテープ状スイッチ５００と、を用いてスイッチ装置２００を構成している。
【００８０】
このため、押動操作される位置より押動を検出する構成が外側に位置することとなり、押動操作を簡単な構成で確実に得ることができる。また、押動を検出する構成が押動操作より外側に位置するため、押動を検出する構成の位置における下方への移動量が押動操作の位置における下方への移動量より大きくなるので、確実な押動の検出を得ることができる。そして、この押圧を検出する構成の位置で支持手段にて、押動の操作方向である台座部４１０に近接する方向への移動を規制して離間する方向に付勢し、ジョグテーブル部３１０を支持するため、外周部分が付勢により支持されたジョグテーブル部３１０を押動操作することとなり、良好な押動操作感が得られる。具体的には、レコードプレーヤのターンテーブルを押動操作する際の操作感と同様の操作感が容易に得られる。すなわち、同様な操作感が得られるように設定することが容易にできる。そして、レコードプレーヤのターンテーブルの押動操作感と同様の操作感が得られることにより、例えばスイッチ装置２００を備えた情報再生装置１００を用いたＤＪ演奏の操作性がより向上し、より高度なＤＪ演奏技術にも対応でき、良好なＤＪ演奏が得られる。
【００８１】
さらに、ジョグテーブル部３１０として、押動操作されるテーブル板３１１に対して胴体部３１２を介して連続して外周方向に突出するフランジ部３１３を設けた構成としている。このことにより、押動操作される位置より外側で回転動作部４５０にて支持させるとともに、押動操作される位置より外側で台座部４１０に向けた近接する方向への移動を検出する構成が、簡単な構成で容易に得ることができる。
【００８２】
また、ジョグテーブル部３１０として、テーブル板３１１を略円板状に設け、フランジ部３１３をテーブル板３１１に対して外周方向に径大にフランジ状に設けている。このため、ジョグテーブル部３１０を押動操作のみならず回転可能に支持することが容易にできる。
【００８３】
そして、ジョグテーブル部３１０のフランジ部３１３の形状に対応した回転動作部４５０により、ジョグテーブル部３１０を台座部４１０に向けて移動可能で、付勢手段によりジョグテーブル部３１０が台座部４１０に離間する方向に付勢される状態に支持する。このことにより、例えば直接ジョグテーブル部３１０を台座部４１０に支持する場合に比して、押動操作に沿った支持する方向に対して交差する方向にジョグテーブル部３１０を移動、すなわち回転させる構成も得られ、より汎用性や利便性を向上できる。
【００８４】
また、回転動作部４５０を台座部４１０から離間する方向に付勢する付勢手段の構成として、コイルばね４６０などのばね部材を用いるため、簡単な構造で容易に製造できる。さらには、例えばばね部材の材質の選定や設けるばね部材の数を変更するのみで、例えばレコードプレーヤのターンテーブルを押動操作する際の操作感と同様の操作感に設定する付勢力が容易に設定できる。
【００８５】
そして、回転動作部４５０を周方向で略等間隔に３つのコイルばね４６０などのばね部材にて支持したため、回転体部３００のジョグテーブル部３１０を簡単な構成で回転可能に載置支持できるとともに、レコードプレーヤのターンテーブルを操作する場合と同様の操作感が容易に得られる。
【００８６】
さらに、付勢する付勢手段の構成として用いるばね部材をジョグテーブル部３１０のフランジ部３１３に対応する位置に配設している。このため、押動操作する位置より外側の押動操作を検出するテープ状スイッチ５００の位置で付勢することとなり、押動操作を確実に検出できる構成において例えばレコードプレーヤのターンテーブルを押動操作する際の操作感と同様の良好な操作感を得ることができる。
【００８７】
そしてさらに、ジョグテーブル部３１０が押動操作されて台座部４１０に向けて近接する方向である下方への移動の際に弾性変形する第１の緩衝部材４３３および第２の緩衝部材４５３を設けている。このため、押動操作の際の操作感として、コイルばね４６０などのばね部材の付勢に合わせて、第１の緩衝部材４３３および第２の緩衝部材４５３の弾性変形による復元力が作用することとなり、例えばレコードプレーヤのターンテーブルを押動操作する際の操作感と同様のより良好な操作感を簡単な構成で容易に得ることができる。
【００８８】
そして、コイルばね４６０などのばね部材を中心角が略１２０°となる状態に３カ所設け、第１の緩衝部材４３３を、中心角が略６０°となる周方向で略等間隔に６個、テープ状スイッチ５００のスイッチ５０１に対応して設け、ばね部材間に位置する状態に第２の緩衝部材４５３を設けている。このため、少ないばね部材の構成で一般的なスイッチに比して比較的に大径のジョグテーブル部３１０のいずれの位置を押動操作しても、同様の操作感が得られるとともに、例えばレコードプレーヤのターンテーブルを押動操作する際の操作感と同様のより良好な操作感を簡単な構成で確実に押動操作を検出できる構成を容易に得ることができる。
【００８９】
また、ジョグテーブル部３１０を台座部４１０に離間する方向に付勢して台座部４１０に接離可能に支持する回転動作部４５０に、テープ状スイッチ５００のスイッチ５０１に対向する下面に球面凸状に膨出する押圧膨出部を設けている。このため、テープ状スイッチ５００のスイッチ５０１が閉成してジョグテーブル部３１０が押動操作されたことを検出するためのジョグテーブル部３１０の移動する方向における寸法が大型化することなく、押動操作によるスイッチ５０１の閉成を簡単な構造で確実に得ることができる。
【００９０】
そして、ジョグテーブル部３１０を支持する回転動作部４５０に回転軸が放射状となる状態に複数の第２のローラ４４０を回転自在に設け、ジョグテーブル部３１０を押動操作する操作方向に対して交差、すなわち直交する面上で回転可能に支持させ、このジョグテーブル部３１０の回転をも回転検出手段４７０にて検出する構成としている。このため、１つのスイッチ装置２００により、簡単な構成で２つの動作に基づいて情報の処理を可変制御することを容易に得ることができる。
【００９１】
このジョグテーブル部３１０の回転をも検出する構成として、ジョグテーブル部３１０に第１の歯車３２３を設け、回転検出手段４７０に第１の歯車３２３に軸方向で摺動可能に係合する第２の歯車４７２を設けている。このため、ジョグテーブル部３１０の回転を検出する回転検出手段４７０が、ジョグテーブル部３１０に対してこのジョグテーブル部３１０が押動操作により移動する方向で相対的に移動可能な状態が簡単な構成で容易に得られ、ジョグテーブル部３１０の押動操作と回転操作との異なる方向でもそれぞれ円滑に操作できる。
【００９２】
そして、ジョグテーブル部３１０を回転可能に軸支するためのガイド溝部３２２を設けるための二重構造のガイドリブ部３２１に第１の歯車３２３を設けている。このため、別途第１の歯車３２３を設けるための構成が不要で、ガイドリブ部３２１がジョグテーブル部３１０の軸支のための構成と回転を検出するための構成に共用でき、構成が簡略化して製造性の向上および小型軽量化を容易に図ることができる。
【００９３】
また、ジョグテーブル部３１０のフランジ部３１３の回転動作部４５０にて支持される下面に、回転動作部４５０の第２のローラ４４０に走行可能に周方向に沿って径方向に曲面凸状に第１の回転走行部３２７を膨出形成している。このため、ジョグテーブル部３１０と第２のローラ４４０との接触面積が極めて小さくほぼ点の状態となり、円滑なジョグテーブル部３１０の回転操作を簡単な構造で容易に得ることができる。
【００９４】
そして、ジョグテーブル部３１０の外周側を覆う状態に内周側に嵌挿係合するジョグリング部３５０を設け、このジョグリング部３５０を台座部４１０に回転可能に支持させている。このため、ジョグテーブル部３１０を押圧操作することなく回転操作のみの操作も容易にできるとともに、押動操作する位置に対して外周側で支持する構成および押動操作を検出する構成を覆い隠して外観を向上できるという複数の効果を１つのジョグリング部３５０にて得ることができる。
【００９５】
また、ジョグテーブル部３１０に設けた第１の係止リブ部３２５Ａおよび第２の係止リブ部３２５Ｂを、周方向で位置決め係合し軸方向で係脱可能に係合する第１の係合切欠部３５３Ａおよび第２の係合切欠部３５３Ｂをジョグリング部３５０に設けている。このため、ジョグテーブル部３１０およびジョグリング部３５０の回転が双方にそれぞれ伝達して一体的に回転可能で、かつ、ジョグテーブル部３１０を押動操作した際には、ジョグテーブル部３１０のみ移動可能とする構成が簡単な構成で容易にできる。さらには、ジョグテーブル部３１０とジョグリング部３５０とを組み合わせて一体の回転体部３００とすることが容易にでき、製造性も向上できる。
【００９６】
そして、第１の係止リブ部３２５Ａおよび第２の係止リブ部３２５Ｂをリブ状に設け、第１の係合切欠部３５３Ａおよび第２の係合切欠部３５３Ｂを下方に向けて開口する切欠状に形成している。このため、回転方向で一体でジョグテーブル部３１０の押動操作の際にはジョグテーブル部３１０のみ移動する構成が、簡単な構成で得られ、構成の簡略化による製造性の向上や軽量小型化が容易に図れる。
【００９７】
また、台座部４１０にジョグリング部３５０を回転可能に支持する複数の第１のローラ４４０を設けたため、回転体部３００のより円滑な回転方向への操作が得られる。
【００９８】
さらに、ジョグリング部３５０の係合フランジ部３５３の台座部４１０に設けられた第１のローラ４４０にて支持される下面に、第１のローラ４４０に走行可能に周方向に沿って径方向に曲面凸状に第２の回転走行部３５９を膨出形成している。このため、ジョグテーブル部３１０の場合と同様に、ジョグリング部３５０と第１のローラ４４０との接触面積が極めて小さくほぼ点の状態となり、円滑なジョグリング部３５０の回転操作を簡単な構造で容易に得ることができる。
【００９９】
そして、回転案内手段４８０として、取付板部４８１に一対のガイドピン４８２を設けた構成としたため、ガイドピン４８２をジョグテーブル部３１０が台座部４１０の中心に回転軸を有する状態で回転可能に支持するための所定の位置に設けることが簡単な構成で容易にでき、製造性の向上が容易に図れる。
【０１００】
さらに、一対のガイドピン４８２を、シャフト４８２Ａの中心軸を結ぶ線分を斜辺とした直角二等辺三角形の頂点が天板部４１１の中心に位置する状態で天板部４１１に取付固定するため、スイッチ装置２００の中心の位置に処理状態表示装置４２９を配設することができ、情報の処理状況が容易に認識可能な情報再生装置１００が得られる。
【０１０１】
また、径方向に位置した２つのガイドピン部４１３Ｂにて回転動作部４５０を位置決めするため、単にねじ止めリブ部４１３Ａにて位置決めする場合に比して、上下方向の移動を確保しつつ周方向への移動をより確実に規制する構成を簡単な構成で容易に得ることができる。
【０１０２】
〔実施の形態の変形〕
以上、本発明について好適な実施の形態を挙げて説明したが、本発明は、上記実施の形態に限定されるものではなく、本発明の要旨を逸脱しない範囲において種々の改良並びに設計の変更が可能である。
【０１０３】
すなわち、スイッチ装置２００として、レコード盤を再生するためのレコードプレーヤにおけるターンテーブルを模擬した形状で説明したが、いずれの形状でもできる。例えば、ジョグテーブル部３１０は円盤状に限らず、角柱状としたり、平面視で星形や各種キャラクタをモチーフした形状など、いずれの形状でもできる。
【０１０４】
そして、例えばＤＪ演奏に好適な情報再生装置１００として音楽データを処理する構成について説明したが、処理対象の情報としては、音楽データに限らず、画像データや文字データなど、いずれの情報を処理する構成でもできる。
【０１０５】
さらに、例えばコンピュータに所定のプログラムをインストールして情報処理手段や処理制御手段を構成させ、このコンピュータにスイッチ装置２００を接続してコンピュータで情報を処理させたり、スイッチ装置２００を組み付けたゲーム機や、スイッチ装置２００をゲーム機のコントローラとして接続する構成とするなどにも適用できる。
【０１０６】
また、ジョグテーブル部３１０を回転可能に軸支して説明したが、単に押動操作により移動するのみとした構成としてもできる。特に、このような場合には、ジョグリング部３５０を用いない構成とすることもできる。
【０１０７】
さらに、ジョグテーブル部３１０を支持する構成として、回転動作部４５０を用いず、台座部４１０で直接付勢手段などにて支持する構成としてもよい。
【０１０８】
さらには、回転動作部４５０は、例えばベアリングの容易に一対の対向する部材間に転動可能な部材が設けられて一対の対向する部材が相対的に回転可能としたものなどを用いてもできる。すなわち、ジョグテーブル部３１０を回転可能に支持する構成としては、第２のローラ４４０にて支持する構成に限らず、単にガイドピン４８２のみにて支持する構成などとしてもよく、いずれの構成を用いることもできる。
【０１０９】
そして、回転検出手段４７０としては、光センサ４７４Ａを用いる構成に限らず、磁気を用いるなどいずれの構成でもでき、また、第１の歯車３２３および第２の歯車４７２を用いて回転を検出するのみならず、ローラを用いて回転を検出したり、直接ジョグテーブル部３１０に帯状目盛り４７３Ａを設けて直接回転を検出するなどしてもよい。そして、ジョグテーブル部３１０が回転しない構成では、回転検出手段４７０を設けなくてもよい。
【０１１０】
また、ジョグテーブル部３１０の支持として回転動作部４５０に第２のローラ４４０を設けずに、単に回転動作部４５０をジョグテーブル部３１０が押動操作にて移動するのみに支持する構成としてもよい。
【０１１１】
一方、付勢手段としては、コイルばね４６０などのばね部材や第１の緩衝部材４３３、第２の緩衝部材４５３を用いる構成に限らず、いずれかのみの構成や適宜組み合わせた構成、さらにはこれらの構成に限らず、ジョグテーブル部３１０を台座部４１０から離間する方向に付勢する他のいずれの構成を利用することもできる。
【０１１２】
また、付勢手段としてコイルばね４６０や第１の緩衝部材４３３、第２の緩衝部材４５３は、例えば所定の操作感が得られるようにいずれの位置に配設してもよい。
【０１１３】
そして、回転動作部４５０に押圧膨出部４５２を設けて説明したが、他の形状でもよく、設けない構成としてもよい。
【０１１４】
また、第１の回転走行部３２７や第２の回転走行部３５９は、他の形状でもよく、設けなくてもよい。
【０１１５】
さらに、ジョグテーブル部３１０の位置決めとしてガイドピン部４１３Ｂを設けたが、他の形状でもよく、設けない構成としてもよい。具体的には、２つに限らず複数、あるいは１つのみ設けたり、円柱状に限らず角柱状としたり、ねじ止めリブ部４１３Ａのみで位置決めしたり、回転動作部４５０を周方向で位置決めしない構成としてもよい。
【０１１６】
一方、ジョグテーブル部３１０の移動を検出する移動検出手段としては、テープ状スイッチ５００に限らず、いずれのメンブレンスイッチでもでき、また、メンブレンスイッチに限らず、いずれの接点式のもの、あるいは感圧センサなどを用いたり、光センサや磁気センサ、あるいは音波を用いて距離を認識することにより移動を検出するなど、いずれの構成を用いてもできる。なお、メンブレンスイッチなどの薄膜シート状のスイッチやセンサなどを用いることにより、容易に小型軽量化が図れる。
【０１１７】
また、台座部４１０にガイドピン４８２を設け、ジョグテーブル部３１０にガイド溝部３２２を設けて説明したが、逆の構成、すなわち、台座部４１０にガイド溝部３２２を設け、ジョグテーブル３１０にガイドピン４８２を設けるなどしてもよく、その他いずれの構成にて回転支持してもよい。
【０１１８】
その他、本発明の実施の際の具体的な構造および手順は、本発明の目的を達成できる範囲で他の構造などに適宜変更できる。
【図面の簡単な説明】
【図１】本発明の再生装置に係わる一実施の形態における情報再生装置を示す平面図である。
【図２】上記実施形態におけるスイッチ装置を示す平面図である。
【図３】本実施形態におけるスイッチ装置を示す側面断面図である。
【図４】本実施形態におけるスイッチ装置における回転検出手段の位置を切り欠いた側面断面図である。
【図５】本実施形態における回転体部を示す一部を切り欠いた分解斜視図である。
【図６】本実施形態におけるジョグテーブル部を示す平面図である。
【図７】本実施形態における回転体部を取り外した状態のスイッチ装置における回転体部と回転検出手段との関係を示す平面図である。
【図８】本実施形態における回転体部を取り外した状態のスイッチ装置における回路基板の配置状況を示す平面図である。
【図９】本実施形態における回転体部および回転動作部を取り外した状態のスイッチ装置を示す平面図である。
【図１０】本実施形態におけるスイッチ装置における回転体を取り外した状態での回転検出手段近傍の平面断面図である。
【図１１】本実施形態におけるスイッチ装置における回転体を取り外した状態での台座部を切り欠いた回転検出手段近傍の斜視図である。
【図１２】本実施形態におけるスイッチ装置のねじ止めリブ部近傍の側面断面図である。
【図１３】本実施形態におけるスイッチ装置のガイドピン部近傍の側面断面図である。
【図１４】本実施形態におけるスイッチ装置の第１の緩衝部材近傍の側面断面図である。
【図１５】本実施形態におけるスイッチ装置の第２の緩衝部材近傍の側面断面図である。
【符号の説明】
１００　　再生装置としての情報再生装置
２００　　スイッチ装置
３１０　　操作部としてのジョグテーブル部
３１１　　天面部としてのテーブル板
３１３　　突出部としてのフランジ部
３２３　　第１の歯車
３２５Ａ　　係止手段としての第１の係止リブ部
３２５Ｂ　　係止手段としての第２の係止リブ部
３２７　　走行部としての第１の回転走行部
３５０　　周縁覆い部としてのジョグリング部
３５３Ａ　　係合手段としての第１の係合切欠部
３５３Ｂ　　係合手段としての第２の係合切欠部
４１０　　台座部
４３３　　支持手段を構成する付勢手段であるクッション部材としての第１の緩衝部材
４４０　　ローラ
４５０　　支持手段を構成する作動部としての回転動作部
４５２　　膨出部としての押圧膨出部
４５３　　支持手段を構成する付勢手段であるクッション部材としての弾性部材である第２の緩衝部材
４６０　　支持手段を構成する付勢手段であるばね部材としてのコイルばね
４７０　　回転検出手段
４７２　　第２の歯車
４７４　　回転検出センサ
５００　　移動検出手段としてのメンブレンスイッチであるテープ状スイッチ
５０１　　スイッチ
【図１】
2004087192.tif 000003
【図２】
2004087192.tif 000004
【図３】
2004087192.tif 000005
【図４】
2004087192.tif 000006
【図５】
2004087192.tif 000007
【図６】
2004087192.tif 000008
【図７】
2004087192.tif 000009
【図８】
2004087192.tif 000010
【図９】
2004087192.tif 000011
【図１０】
2004087192.tif 000012
【図１１】
2004087192.tif 000013
【図１２】
2004087192.tif 000014
【図１３】
2004087192.tif 000015
【図１４】
2004087192.tif 000016
【図１５】
2004087192.tif 000017